(57)【要約】【課題】按摩具の使用中に身体に傷害を与える危険性を低減することができる把持型の指圧按摩機を提供する。【解決手段】指圧按摩機は、２つの支持棒１１が相互に一定の間隔を隔てて一端に突設され支持棒の先端に軸孔１２が穿設された第１の結合体１０と、この支持棒が挿着される挿着溝２１が一端に刻設され第１の結合体と結合する第２の結合体２０と、両支持棒の間と両支持棒の外側とにそれぞれ回転自在に軸支される複数の按摩具４０と、一の支持棒の外側に軸支された按摩具の中央の貫通孔４１と一の支持棒の軸孔とに挿通されており一端には係止爪３３が設けられ他端には係合突起３４が設けられた第１の軸３１と、他の支持棒の外側に軸支された按摩具の中央の貫通孔と他の支持棒の軸孔とに挿通され一端には係止爪が設けられ他端には第１の軸の係合突起が係合される係合溝３５が第１の軸の係合突起と対向するように刻設された第２の軸３２と、を備える。【選択図】図２
0003134110.tif 000002
【実用新案登録請求の範囲】
【請求項１】
一定の長さの２つの支持棒が相互に一定の間隔を隔てて一端に突設され、当該支持棒の先端に軸孔が穿設された第１の結合体と、
前記第１の結合体の前記支持棒が挿着される挿着溝が一端に刻設され、前記第１の結合体と結合する第２の結合体と、
前記両支持棒の間と前記両支持棒の外側とにそれぞれ回転自在に軸支される複数の按摩具と、
一の前記支持棒の外側に軸支された按摩具の中央の貫通孔と、前記一の支持棒の軸孔とに挿通されており、一端には係止爪が設けられ、他端には係合突起が設けられた第１の軸と、
他の前記支持棒の外側に軸支された按摩具の中央の貫通孔と、前記他の支持棒の軸孔とに挿通され、一端には係止爪が設けられ、他端には前記第１の軸の係合突起が係合される係合溝が前記第１の軸の係合突起と対向するように刻設された第２の軸と、
を備えていることを特徴とする、把持型の指圧按摩機。
【請求項２】
前記支持棒に刻設され、前記軸孔に連通する第１の取付溝と、
前記第１の軸及び前記第２の軸それぞれに刻設された第２の取付溝と、
前記第１の取付溝及び前記第２の取付溝に挿入される締付け具と、
をさらに備え、
前記締付け具が、前記按摩具の回転時にも前記第１の軸及び前記第２の軸が回転しないように、前記第１の軸及び前記第２の軸と、支持棒とを締め合わせることを特徴とする、請求項１に記載の把持型の指圧按摩機。
【請求項３】
前記第１の結合体及び前記第２の結合体の少なくとも一面には、複数の指圧突起が設けられることを特徴とする、請求項１または２に記載の把持型の指圧按摩機。
【請求項４】
前記按摩具には、前記按摩具の側面から前記中央の貫通孔に向けて貫通した潤滑油供給口が設けられることを特徴とする、請求項３に記載の把持型の指圧按摩機。
【請求項５】
前記第１の結合体及び前記第２の結合体の内側には、遠赤外線を放射する遠赤外線放射物質が内蔵されることを特徴とする、請求項１または２に記載の把持型の指圧按摩機。
【考案の詳細な説明】
【技術分野】
【０００１】
本考案は、把持型の指圧按摩機に関する。
【背景技術】
【０００２】
産業の発達に伴い健康への関心が高まっている。これに伴い、近年、各種の運動に加えて、健康食品及び健康補助器具に高い関心が集まっている。中でも、身体の固くなった筋肉を柔らかくし、且つ、血行を円滑にして、疲労回復に有効に使用可能な指圧機や按摩機が、大衆化されている。
【考案の開示】
【考案が解決しようとする課題】
【０００３】
しかしながら、手で把持して使用する従来の小型サイズの指圧按摩機のほとんどは、身体に押し付けながら移動させる場合、按摩具の軸を支持するために胴体（本体）の両側から突設した突出部と、この軸回りに回転する按摩具２との間に、皮膚等の身体の一部が挟まり、身体に傷害を与えてしまうという問題があった。
【０００４】
そこで、本考案は、上記問題に鑑みてなされたものであり、本考案の目的とするところは、按摩具の使用中に身体に傷害を与える危険性を低減することにある。
【課題を解決するための手段】
【０００５】
上記課題を解決するために、本考案のある観点によれば、一定の長さの２つの支持棒が相互に一定の間隔を隔てて一端に突設され、当該支持棒の先端に軸孔が穿設された第１の結合体と、第１の結合体の支持棒が挿着される挿着溝が一端に刻設され、第１の結合体と結合する第２の結合体と、両支持棒の間と両支持棒の外側とにそれぞれ回転自在に軸支される複数の按摩具と、一の支持棒の外側に軸支された按摩具の中央の貫通孔と、一の支持棒の軸孔とに挿通されており、一端には係止爪が設けられ、他端には係合突起が設けられた第１の軸と、他の支持棒の外側に軸支された按摩具の中央の貫通孔と、他の支持棒の軸孔とに挿通され、一端には係止爪が設けられ、他端には第１の軸の係合突起が係合される係合溝が第１の軸の係合突起と対向するように刻設された第２の軸と、を備えていることを特徴とする、把持型の指圧按摩機。
【０００６】
また、支持棒に刻設され、軸孔に連通する第１の取付溝と、第１の軸及び第２の軸それぞれに刻設された第２の取付溝と、第１の取付溝及び第２の取付溝に挿入される締付け具と、をさらに備え、締付け具が、按摩具の回転時にも第１の軸及び第２の軸が回転しないように、第１の軸及び第２の軸と、支持棒とを締め合わせてもよい。
【０００７】
また、第１の結合体及び第２の結合体の少なくとも一面には、複数の指圧突起が設けられてもよい。
【０００８】
また、按摩具には、按摩具の側面から中央の貫通孔に向けて貫通した潤滑油供給口が設けられてもよい。
【０００９】
また、第１の結合体及び第２の結合体の内側には、遠赤外線を放射する遠赤外線放射物質が内蔵されてもよい。
【考案の効果】
【００１０】
以上説明したように本考案によれば、按摩具の使用中に身体に傷害を与える危険性を低減することができる。
【考案を実施するための最良の形態】
【００１１】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１２】
＜本実施形態に係る指圧按摩機の構成＞
まず、図１〜４を参照して、本考案の一実施形態に係る指圧按摩機の構成を説明する。
【００１３】
図１は、本実施形態に係る指圧按摩機を示す斜視図であり、図２は、本実施形態に係る指圧按摩機を示す分解斜視図であり、図３は、本実施形態に係る指圧按摩機を示す縦断面図であり、図４は、本実施形態に係る指圧按摩機を示す横断面図である。
【００１４】
図１に示すように、本実施形態に係る指圧按摩機は、大別すると胴体と、軸３０と、按摩具４０と、を有する。胴体の一端には、軸３０を介して按摩具４０が接続される。この構成についてより具体的に説明すれば、以下のようになる。
【００１５】
胴体は、指圧按摩機の本体を形成し、ユーザによって把持される部材であって、第１の結合体１０と第２の結合体２０とに分離することができる。また、この指圧按摩機は、小型薄肉化したものであり、そのために胴体は、ユーザーが片手で簡単に把持して使用可能なように、波打って緩やかに湾曲した外形を有する。さらに、この指圧按摩機は、例えば、量産可能なようにプラスチック材質で形成されてもよい。
【００１６】
また、胴体を構成する第１の結合体１０及び第２の結合体２０の側面には、指圧突起６０が設けられる。この指圧突起６０は、１又は複数設けられ、指圧の用途にも使用可能である。また、図２〜図４に示すように、第１の結合体１０と第２の結合体２０との間の胴体内部には、例えば、玉、セラミック、ペグマタイト、黄土、麦飯石、炭など遠赤外線を放射する遠赤外線放射物質５０が内蔵させてもよい。
【００１７】
第１の結合体１０の一端には、一定の長さの２つの支持棒１１が相互に一定の間隔を隔てて突設される。そして、この支持棒１１のそれぞれの先端部には、軸孔１２が穿設される。また、第１の結合体１０と対向する第２の結合体２０の一端には、第１の結合体１０の支持棒１１が挿着されるための挿着溝２１が刻設されている。
【００１８】
軸３０は、第１の軸３１及び第２の軸３２に分割することができる。この第１の軸３１の一端には係止爪３３が設けられ、他端には係合突起３４が突設される。さらに、第２の軸３２の一端にも係止爪３３が設けられ、他端には前記係合突起３４が係合可能な係合溝３５が、係合突起３４と対向するように刻設される。
【００１９】
そして、按摩具４０の中央には、軸３０が挿入されるための貫通孔４１が通常の形状で穿設される。
【００２０】
従って、この軸３０が、支持棒１１の軸孔１２と按摩具４０の貫通孔４１とに挿入されて、按摩具４０を支持棒１１に軸支させる。
【００２１】
この按摩具４０の配置についてより詳細に説明すれば、以下のようになる。
つまり、図３に示すように、２つの支持棒１１の間には、按摩具４０が１つ軸支され、両支持棒１１の外側のそれぞれにも、按摩具４０が１つ軸支される。この際、軸３０の第１の軸３１は、一方の支持棒１１の軸孔１２と、その支持棒１１の外側の按摩具４０の貫通孔４１と、両支持棒１１の間に配置された按摩具４０の貫通孔４１と、に挿入される。一方、第２の軸３２は、他方の支持棒１１の軸孔１２と、その支持棒１１の外側の按摩具４０の貫通孔４１と、両支持棒１１の間に配置された按摩具４０の貫通孔４１と、に挿入される。そして、第１の軸３１と第２の軸３２とが係合することにより、按摩具４０は、支持棒１１に軸支される。
【００２２】
また、図３及び図４に示すように、支持棒１１には、支持棒１１の外側から軸孔１２まで貫通した第１の取付溝１３が貫設され、支持棒１１の軸孔１２に挿入される第１の軸３１及び第２の軸３２には、第２の取付溝３６が刻設される。そして、支持棒１１の軸孔１２に第１の軸３１及び第２の軸３２を挿入した後、両者に形成された取付溝３６に、締付け具１４を挿入して締め合わせることにより、軸３０は、支持棒１１に固定される。つまり、締付け具１４により、第１の軸３１と支持棒１１と、又は、第２の軸３２と支持棒１１とを締結することにより、軸３０は支持棒１１に固定されるので、ユーザが指圧按摩機を使用して按摩具４０が回転した際、軸３０が回転することを防ぐことができる。
【００２３】
上記のように按摩具４０の中央には軸３０が挿入されるための貫通孔４１が通常の形状で穿設されるが、この按摩具４０には、使用時に身体に接触しない按摩具４０の側面から中央の貫通孔４１に向けて貫通した微細な潤滑油供給口４２が更に貫設される。換言すれば、潤滑油給油口４２は、図２及び図３に示すように按摩具４０が円筒形に形成される場合、円形の面から、貫通孔４１まで貫通して形成される。また、図２〜図４に示すように、指圧按摩機の内部には、ユーザに指圧按摩機の重量感を与えるための重し７０が配置される。
【００２４】
＜本実施形態に係る指圧按摩機の作用＞
次に、上記のような構成を有する本実施形態に係る指圧按摩機の作用について説明する。
【００２５】
本実施形態に係る指圧按摩機は、軽量の合成樹脂などの材質から製作することにより、更に組立易く構成される。また、この指圧按摩機は、第１の結合体１０と第２の結合体２０とを別体に製作し、両者を組み合わせることにより形成される。このとき、第１の結合体１０の支持棒１１が第２の結合体２０の挿着溝２１に挿入されるように、第１の結合体１０と第２の結合体２０とを結合して、別の螺子などにより強固に締め付けることにより形成される。
【００２６】
また、支持棒１１の軸孔１２には軸３０を挿入するが、先ず、第１の軸３１及び第２の軸３２にそれぞれ一つの按摩具４０を挿入し、両支持棒１１の間に一つの按摩具４０を配置した後、第１の軸３１と第２の軸３２とを支持棒１１の外側から軸孔１２に挿入する。
【００２７】
従って、第１の軸３１の係合突起３４は、支持棒１１の軸孔１２を貫通した状態で、第２の軸３２の係合溝３５に嵌合され、第１の軸３１及び第２の軸３２の先端に設けられた係止爪３３により按摩具４０が抜け落ちることなく、回転自在に軸支される。このとき、係合突起３４と係合溝３５との間には接着剤を塗布してもよい。
【００２８】
ユーザーは、本実施形態に係る指圧按摩機を使用する際には、波打ち状の凹所、つまり波打って緩やかに湾曲した外形の凹んだ箇所を把持し、按摩具４０を按摩または指圧したい身体の箇所に押し付けた後、一定の圧力を身体の方向に加えながら、身体に沿って動かすことができる。
【００２９】
従って、ユーザーは指圧按摩機を把持し易く、指圧按摩機により押圧される身体の筋肉は収縮及び膨脹する。よって、指圧及び按摩の効果が得られる。また、按摩具４０は、ユーザーの手の動きに沿って、身体に押し付けられた状態で軸３０を中心として回転しながら移動する。
【００３０】
このとき、支持棒１１の第１の取付溝１３から軸３０の第２の取付溝３６までを締付け具１４により一体に締め合わせることにより、軸３０は回転せずに按摩具４０だけが回転するので、軸が離脱する恐れがなくなる。
【００３１】
さらに、本実施形態に係る指圧按摩機を把持している手の熱により遠赤外線放射物質５０から遠赤外線が発せられる効果も得られる。
【００３２】
このように、本実施形態に係る指圧按摩機を長時間使用すると、按摩具４０と軸３０との間が摩耗したり騷音が発生したりする恐れがあるが、この場合には、按摩具４０の側面に設けられた潤滑油供給口４２を介して微量の潤滑油を注入することにより、按摩具４０の回転を円滑にすることができる。
【００３３】
＜本実施形態に係る指圧按摩機の効果＞
以上、本実施形態に係る指圧按摩機の構成及び作用について説明した。
この指圧按摩機によれば、図３及び図４に示すように、ユーザが使用時に身体に接触させて按摩及び指圧効果を得る面、つまり、按摩具４０の身体に接触する面と、軸３０や支持棒１１等の他の構成部材との間に所定の距離が形成されている。換言すれば、使用時に回転する按摩具４０は、ユーザの身体に接触する一方、回転しない支持棒１１や軸３０等は、按摩具４０のユーザの身体に接触する面よりも、ユーザの身体から離隔している。従って、この指圧按摩機を手で把持して身体に対して指圧及び按摩を行う際に、ユーザの皮膚などの身体が指圧按摩機の構成部材の間に挟みこまれること防ぐことができる。よって、ユーザが怪我などをおう危険性を低減することができる。
【００３４】
また、第１の結合体１０と第２の結合体２０とを螺子等により結合することにより、胴体を形成することができ、また、第１の軸３１と第２の軸３２とを結合することにより、按摩具４０を支持棒１１に軸支することができるので、容易に組み立てることが可能である。
【００３５】
一方、従来の指圧按摩機では、按摩具を軸に固定するので、按摩具の回転と共に軸が回転し、軸の両側に取り付けられて按摩具を固定していた止め具が、按摩具の回転中に外れ、その結果、軸から按摩具が離脱してしまう等の問題もあった。
【００３６】
しかし、本実施形態に係る指圧按摩機によれば、締付け具１４が、軸３０と支持棒１１とを締結しているため、軸３０が按摩具４０と共に回転することを防ぐことができる。従って、按摩具の強度を向上させることができる。
【００３７】
更に、本実施形態に係る指圧按摩機によれば、潤滑油供給口４２を備えることにより、按摩具４０と軸３０との間に潤滑油を供給し易いので、按摩具４０と軸３０とが摩耗することを防ぐことができる。よって、更に按摩具の強度を向上させることができる。また、摩擦によって生じる騷音をも低減することができる。
【００３８】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【図面の簡単な説明】
【００３９】
【図１】本考案の一実施形態に係る指圧按摩機を示す斜視図である。
【図２】同実施形態に係る指圧按摩機を示す分解斜視図である。
【図３】同実施形態に係る指圧按摩機を示す縦断面図である。
【図４】同実施形態に係る指圧按摩機を示す横断面図である。
【符号の説明】
【００４０】
１０、２０    結合体
１１          支持棒
１２          軸孔
１３、３６    取付溝
１４          締付け具
２１          挿着溝
３０、３１、３２    軸
３３    係止爪
３４    係合突起
３５    係合溝
４０    按摩具
４１    貫通孔
４２    潤滑油供給口
５０    遠赤外線放射物質
６０    指圧突起
【図１】
0003134110.tif 000003
【図２】
0003134110.tif 000004
【図３】
0003134110.tif 000005
【図４】
0003134110.tif 000006